(57)【要約】  【課題】  野菜などの実用的な植物を建物内や家庭などの狭い場所や空きスペースで簡単に栽培できる植物栽培装置を提供する。  【解決手段】  可撓性シート３で土壌を収容できる形を備えた土壌収容シート部２と、土壌収容シート部２の下側位置に設置されて土壌収容シート部２から漏れる水を受ける水受け部材６と、土壌収容シート部２内に収容された土壌に水を供給する水供給部材７と、支持部材４と、支持部材４の下部に設けられて地面を移動することを可能にする移動具８とを備えている。支持部材４によって土壌収容シート部２を地面から離れた空中に支持するとともに水受け部材６と水供給部材７とを支持し、移動具８によって移動自在に構成することによって一体型移動式の植物栽培装置１に構成した。【選択図】  図１
0003173555.tif 000002
【実用新案登録請求の範囲】
【請求項１】
可撓性シートで土壌を収容できる形を備えた土壌収容シート部と、前記土壌収容シート部の下側位置に設置されて前記土壌収容シート部から漏れる水を受ける水受け部材と、前記土壌収容シート部内に収容された土壌に水を供給する水供給部材と、支持部材と、前記支持部材の下部に設けられて地面を移動することを可能にする移動具とを備え、
前記支持部材によって前記土壌収容シート部を地面から離れた空中に支持するとともに前記水受け部材と前記水供給部材とを支持し、前記移動具によって移動自在に構成することによって一体型移動式の植物栽培装置に構成したことを特徴とする植物栽培装置。
【請求項２】
請求項１に記載の植物栽培装置において、前記水受け部材内の水を再び前記水供給部材に送り、前記土壌に水を供給できるような戻水路を設けた植物栽培装置。
【請求項３】
請求項２に記載の植物栽培装置において、前記支持部材が骨格部を備え、その骨格部が必要に応じて屋根部と側面部の少なくとも一方を装着自在に構成されている植物栽培装置。
【請求項４】
請求項２〜請求項３のいずれか一つに記載の植物栽培装置において、前記水供給部材に水を供給する給水ポンプと、前記戻水路の水を循環させる戻水ポンプと、前記各ポンプを制御する制御装置とを有した付属装置をさらに備えており、前記付属装置を一体型移動式の植物栽培装置とは別体として構成した植物栽培装置。
【請求項５】
請求項４に記載の植物栽培装置において、前記付属装置は複数の一体型移動式の植物栽培装置を管理する植物栽培装置。
【請求項６】
請求項４に記載の植物栽培装置において、前記付属装置にも移動具を備えており、前記付属装置も移動自在に構成した植物栽培装置。
【請求項７】
請求項３に記載の植物栽培装置において、照明装置を前記骨格部５に取付け可能に構成した植物栽培装置。
【請求項８】
請求項４に記載の植物栽培装置において、前記制御装置は植物栽培情報記憶部を有しており、前記制御装置が植物栽培情報に基づいて制御を行なう植物栽培装置。
【請求項９】
請求項８に記載の植物栽培装置において、表示装置を備え、前記制御装置は表示・教示内容記憶部を備えている植物栽培装置。
【考案の詳細な説明】
【技術分野】
【０００１】
本考案は野菜などの植物を栽培する植物栽培装置に関する。
【背景技術】
【０００２】
近年、ガーディニングの愛好者が増えている。土に触れ、自分が栽培する植物が育つことは楽しいものである。特に、野菜などの実益のある植物を栽培することは鑑賞植物を栽培するのとは別の楽しみがある。
なお、下記特許文献にはベランダにおいて植物を鑑賞するのに適した植物容器が提案されている。
【先行技術文献】
【特許文献】
【０００３】
【特許文献１】特開平１１−１９２０２２「植物観賞装置」
【考案の開示】
【考案が解決しようとする課題】
【０００４】
上記のように、ベランダに比較的、育てやすい観賞植物を栽培する装置も提案されているが、概して小型であり、栽培した野菜を実用的に食する観点から見ると限界がある。
また、ガーディニングには植物を栽培できる広さの庭が必要であり、スペースの少ない都会などでは誰もが楽しめるものではない。田舎に農地を借りて休日に農作業に行くことも行われているが、車などの移動手段が必要であるとともに、コストがかかるという課題がある。
【０００５】
都会暮らしが長い人などにおいて、自分が育てた野菜を食してみたい又は田畑を持っている人と同じように本格的な野菜栽培をしてみたいという希望は予想以上に多いものである。しかし、従来の栽培容器はそれらの要望を満足するものではなかった。
本考案は上記課題に鑑みてなされたものであり、本考案の目的は上記課題を解決できる植物栽培装置を提供することにある。
【０００６】
具体的な目的の一例を示すと、以下の通りである。
（ａ）野菜などの実用的な植物を建物内や家庭などの狭い場所や空きスペースで簡単に栽培できる植物栽培装置を提供する。
（ｂ）天候や気温などの気象条件に影響を受けにくく、最適な栽培環境を実現しやすい植物栽培装置を提供する。
なお、上記に記載した以外の考案の課題、その解決手段及びその効果は、後述する明細書内の記載において詳しく説明する。
【課題を解決するための手段】
【０００７】
本考案は多面的に表現できるが、例えば、代表的なものを挙げると、次のように構成したものである。なお、下記各考案において、各符号は後述する実施形態との対応関係を分かりやすくするために一例として示したものであり、本考案の各構成要素は、実施形態に記載した符号に係る構成に限定されないことは言うまでもない。
【０００８】
本考案に係る植物栽培装置は、可撓性シート３で土壌を収容できる形を備えた土壌収容シート部２と、前記土壌収容シート部２の下側位置に設置されて前記土壌収容シート部２から漏れる水を受ける水受け部材６と、前記土壌収容シート部２内に収容された土壌に水を供給する水供給部材７と、支持部材４と、前記支持部材４の下部に設けられて地面を移動することを可能にする移動具８とを備え、
前記支持部材４によって前記土壌収容シート部２を地面から離れた空中に支持するとともに前記水受け部材６と前記水供給部材７とを支持し、前記移動具８によって移動自在に構成することによって一体型移動式の植物栽培装置１に構成したことを特徴とする。
水供給部材としては微細な穴を備えた管体で構成される漏水管や、スプリンクラーなどの公知の各種水供給部材を採用できる。
【０００９】
第１考案であれば、支持部材が土壌収容シート部を地面から離れた空中に支持するので水分が重力の作用によって下方に流れ出るとともに、空気中に触れるシート部の面積が大きいので水分蒸発が促進され、水分過剰による根腐れ等の不都合を防止できる。また、土壌収容シート部から漏れた水は水受け部材に溜めることができ、土壌中の肥料などが流出することを防止できる。また、支持部材によって土壌収容シート部と水受け部材と、水供給部材とがそれぞれ一体的に一つの装置として構成され、移動具によって移動自在に構成されているので、大雨や強風のときに植物栽培装置をそれらから守れる場所に簡単に移動させることができる。また、移動具を備えていることによって、ビル等の建物内や家屋の間の通路や家屋の軒先などに移動させることができるので、日中は太陽の光を浴びて植物を生育させるとともに、必要なときは屋内等に避難することが可能になる。このような構成であれば、都会などにおいて農地を確保しにくい人であっても又、農家において実用的な植物の栽培を行なうことができる。
【００１０】
第２考案は、上記各考案において、前記水受け部材６内の水を再び前記水供給部材７に送り、前記土壌に水を供給できるような戻水路１３を設けたことを特徴とする。
第２考案であれば、戻水路によって、水及び肥料成分を土壌に再び供給することができ、運転コストを低減することができる。また、肥料成分を外部へ流出させる恐れを低減することができる。
【００１１】
第３考案は、上記各考案において、前記支持部材４が骨格部５を備え、その骨格部５が必要に応じて屋根部１７と側面部１８の少なくとも一方を装着自在に構成されていることを特徴とする。
前記骨格部として接続パイプ等を使用することができる。
第３考案であれば、側面部を装着することで強風などから植物を守ることができる。また、屋根部を装着することで、雨天のときの水分量を調整できるとともに、日中における日差しが強い場合は屋根部に遮光部材を用いることによって調整することもできる。
【００１２】
第４考案は、上記各考案において、前記水供給部材７に水を供給する給水ポンプ１１と、前記戻水路１３の水を循環させる戻水ポンプ１２と、前記各ポンプ１１・１２を制御する制御装置１５とを有した付属装置１４をさらに備えており、前記付属装置１４を一体型移動式の植物栽培装置１とは別体として構成したことを特徴とする。
植物栽培装置と付属装置の間の水路の構成は、植物栽培装置が移動できるようにホース等を用いることが好ましい。
第４考案であれば、ポンプ、制御装置を備える付属装置を設けることで植物栽培のシステムを簡単化、効率化できる。また、植物栽培装置だけを雨中又は日中の高温時に放置し、付属装置を室内や軒下に避難させたシステム配置で栽培することも可能になる。
【００１３】
第５考案は、上記各考案において、前記付属装置１４は複数の一体型移動式の植物栽培装置１を管理することを特徴とする。
第５考案であれば、複数の一体型移動式の植物栽培装置を管理するので、植物栽培装置を連設した場合の製造コストを低減できる。
第６考案は、上記各考案において、前記付属装置１４にも移動具８を備えており、前記付属装置１４も移動自在に構成したことを特徴とする。
第６考案であれば、付属装置も移動自在に構成したことで、一体型移動式の植物栽培装置に対する配置位置の自由度を上げることができる。
【００１４】
第７考案は、上記各考案において、照明装置３１を前記骨格部５に取付け可能に構成したことを特徴とする。
照明装置としてはＬＥＤ照明装置が好ましい。
各種の照明装置を取付ける箇所は屋根部や側面部が例示できる。
第７考案であれば、日光が差し込まない建物や家屋の中で植物を栽培することもできる。また、日中の照射量が不足する場合に照明装置で補って栽培することもできる。
【００１５】
第８考案は、上記各考案において、前記制御装置１５は植物栽培情報記憶部２８を有しており、前記制御装置１５が植物栽培情報に基づいて制御を行なうことを特徴とする。
植物栽培情報とは栽培される植物に応じた制御データである。これらの制御データには給水量や、照明装置が取り付けられている場合はその照射量などが含まれる。
第８考案であれば、栽培される植物に対応した植物栽培情報に基づいて最適な制御を行なうことができる。
第９考案は、上記各考案において、表示装置３３を備え、前記制御装置１５は表示・教示内容記憶部３４を備えていることを特徴とする。
表示・教示内容記憶部に記憶されている情報としては、現在の状態を示す表示内容や、栽培者への教示内容が例示できる。なお、教示内容は管理センターの指示によって表示装置に表示されるものであってもよい。
第９考案であれば、表示装置を備えることで、現在の栽培状態に応じて栽培者に適切な情報を与えることができる。
【考案の効果】
【００１６】
以上説明したように、本考案であれば、野菜などの実用的な植物を建物や家庭などの狭い場所や空きスペースで簡単に栽培できるとともに、天候や気温などの気象条件に影響を受けにくく、最適な栽培環境を実現しやすい植物栽培装置を提供できる。
【考案を実施するための形態】
【００１７】
以下、本考案の実施の形態を図面に基づき説明する。
図１は本考案に係る植物栽培装置の第１実施形態を示す斜視図、図２（Ａ）はその正面図、図２（Ｂ）はその側面図、図３はこの考案に係る付属装置の一例を示すブロック図、図４は植物栽培装置の他の実施形態を示すブロック図である。
図１及び図２に示すように、この植物栽培装置１は、可撓性シート３で所定形状に構成された土壌収容シート部２と、土壌収容シート部２の下方位置に設置されて土壌収容シート部２から漏れる水を受ける水受け部材６と、土壌収容シート部２内に収容された土壌に各種の手段によって水を供給する水供給部材７と、支持部材４と、移動具８とを備えている。
また、支持部材４によって上記各構成部材を支持するとともに移動具８によって移動自在に構成されている。この構成では、植物栽培装置１は一体型で移動できるものとなっている。
【００１８】
可撓性シート３は合成樹脂フィルム、紙、各種布、不織布のいずれか又はそれらの複合体で構成されている。可撓性シート３は通気性とある程度の透水性を備えており、断面略半円形であることと相まって水はけが良く、植物の根腐れを抑制することができる。
また、所定の高さに土壌収容シート部２が架設されたような状態になっているので、作業者は地面に植えた植物に対して作業する場合に比べて腰への負担が小さい利点もある。
【００１９】
支持部材４は骨格部５及び支持部９を備えている。骨格部５は複数の接続パイプを繋いで、支持部材４は全体として家屋形に形成されている。
骨格部５は屋根の骨格を作る屋根骨格部５ａと、側面の骨格を作る側面骨格部５ｂと、支持板９、土壌収容シート部２などの主構成部材を支持する基台骨格部５ｃとを有している。
【００２０】
土壌収容シート部２は、立方体形の骨格部５に可撓性シート３の外周縁が取り付けられ、長手方向に延びてかつ下方に向けて土壌の量が少なくなる断面略半円形の収容槽が形成されている。
これにより、可撓性シート３は地面から離れた空中に支持される。
【００２１】
また、基台骨格部５ｃには支持板９が固設されており、その支持板９に桶部６（水受け部材６）が長手方向に延びるように設けられている。
つまり、桶部６は帯状に延びる土壌収容シート部２の下側域を覆うように設置されており、土壌収容シート部２の下側域から漏れる水を受ける部材である。
桶部６の大きさと形状は特に限定されない。図１、図２では横幅の狭い略断面Ｕ字形のものが示してあるが、横幅の広い皿形、箱形のものでも採用できる。桶部６には排水管１０が設けられ、桶部６に溜まった水を戻水ポンプ１２（図３参照）で排出することができる。
以上のように、支持部材４によって土壌収容シート部２と水受け部材６と水供給部材７とがそれぞれ支持され、一つの装置として構成されている。
【００２２】
屋根部１７は屋根骨格部５ａに取付けられる部材であり、軽量の板材などで構成されている。同様に、側面部１８は側面骨格部５ｂに取付けられる軽量の板材やシート材である。通常、側面部１８には作業者が野菜の手入れをするための扉部やカーテン部が設けられる。
屋根部１７及び側面部１８を骨格部５に取付自在に構成したので、吊り下げて栽培される植物が強風によって落下するなどの問題が生じることを抑えることができる。また、遮光性の屋根部１７及び側面部１８で栽培装置１を覆うことで、アスパラガスなどの日光を抑えて育てる植物を栽培することもできる。
【００２３】
図１、図２における屋根部１７及び側面部１８は想像線で簡略化して描いているが、屋根骨格部５ａ，側面骨格部５ｂに簡単に装着できる構成になっている。なお、屋根部１７、側面部１８の構成もＬＥＤ照明装置を土壌側に取り付けた板材など各種のものが例示できる。
また、骨格部５や屋根部１７又は側面部１８に「つる植物」用の支柱を固定できるアタッチメントを予め取り付けておくこともできる。
【００２４】
水供給部材７は土壌より上又は土壌の中に配置された水漏れ管や、スプリンクラーなどの手段で構成され、土壌に必要な水分を供給する部材である。
また、寒冷地で使用する場合には土壌の中にヒータを配設することもできるが、通常は、土壌に供給する水の温度を高くすることで対処する。この場合は給水ポンプ１１（図３参照）からの水を昇温するヒータ３０（図３参照）を設ける。
水供給部材７は土壌に必要な水を供給できるように、その設置本数が決定される。雨などによって実際に供給された水分量を土壌中の含水量センサ２５（図４参照）等によって検出し、水供給部材７によって供給される水分を調節することもできる。雨などによって土壌の水分量が多くなった場合は、水供給部材７からの水分補給は少なくした方が良いからである。
【００２５】
なお、この実施形態では移動具８を３６０度回転自在なキャスター８で構成したものを示してあるが、移動具８は各種の構成が可能である。例えば、１輪車、４輪車両のような車輪で構成することも可能である。また、レール上を移動する車輪も本考案に係る移動具８として採用することもできる。
【００２６】
図３に示すように、付属装置１４の筐体には水道等からの水を供給する給水ポンプ１１と桶部６の排水管１０からの水を循環させる戻水ポンプ１２と、戻水路１３と、制御装置１５が設けられ、一体型の植物栽培装置１とは別体で構成されている。
戻水路１３は水受け部材６内の水を再び水供給部材７に送り、土壌に水を供給できるような水路である。
この実施形態では戻水路１３は、桶部６からの水を外部に取り出す排水管１０と水供給部材７への給水管１６の間を連通する水管で構成されている。その戻水路１３内に戻水ポンプ１２を設けている。
戻水路１３、給水ポンプ１１に繋ぐ給水管１６又は戻水ポンプ１２に繋ぐ排水管１０には必要に応じて開閉・調整弁３２、ゴミ等を除去するフィルタ装置３８、水の温度を上げるヒータ３０などが設けられている。
付属装置１４の給水ポンプ１１によって各植物栽培装置１に水が供給されるとともに、戻水ポンプ１２によって給水系に水が戻される。
なお、筐体の底にはキャスター等の移動具８が取り付けられている。
【００２７】
また、植物栽培装置１を複数個設けて、給水管１６や排水管１０などを接続して一つの付属装置１４から水やヒータ３０、ＬＥＤ照明装置３１、センサ２１〜２５、表示装置３３及び送信装置３５の各電源を制御することもできる。一つ一つの植物栽培装置１に水道管や電源を接続するよりも制御が簡単で運転コストも低減できる。この場合、２個の植物栽培装置を接続する場合と、２０個の植物栽培装置を接続する場合とでは必要とするポンプの数、その出力も異なるとともに、制御方法も個数に合わせて適宜、設定する。
複数の植物栽培装置１を連設するときは、給水管１６及び排水管１０は直列又は並列に接続される。
【００２８】
図４は付属装置の制御系の一例を示すブロック図である。
なお、図４において、破線で示したものは通常仕様では装備しておらず、必要な時にオプションとして追加できるものの一例を示している。但し、通常仕様であるかオプションであるかの違いは栽培者の状況・要望に応じて適宜、変わるものである。
この実施形態では全体の制御を行なう制御部２０がセンサ処理部１９を介して、水温センサ２１、気温センサ２２、水量センサ２３、地温センサ２４、含水量センサ２５などのセンサ部の各入力に基づいて、プログラム部２７のプログラムが植物栽培情報記憶部２８の植物毎の栽培情報を参照して、駆動コントローラ２９に駆動信号を送る。なお、ＲＯＭ，ＲＡＭ等で構成された記憶装置２６には全体の制御を行なうプログラム部２７と、栽培情報を記憶する植物栽培情報記憶部２８と表示・教示内容記憶部３４が設けられている。
【００２９】
前記駆動信号は、栽培情報が簡単なものであれば、栽培期間にわたって各種制御対象をコントロールするシーケンス制御で構成することもできる。
最低限、駆動コントローラ２９によって駆動されるものは、水供給部材７への給水ポンプ１１と桶部６の水を循環するための戻水ポンプ１２の駆動である。また、寒冷地においては、給水ポンプ１１から供給される水の温度を上げるヒータ３０を加えることができる。なお、駆動コントローラ２９で制御されるものとしては、ＬＥＤ照明装置３１なども挙げることができる。
【００３０】
また、オプションとして液晶表示装置などの表示装置３３を付属装置１４又は植物栽培装置１に設け、現在の植物の状態、各植物栽培装置１の状態を示す表示内容や、作業者への教示内容を表示装置３３に表示させることもできる。また、土壌が異常に乾燥している、土壌中の水分量が多い等の各種の異常な状態をプログラム部２７のプログラムが検出して、表示装置３３にその状態を教示内容として表示することもできる。
さらに必要に応じて、送信装置３５を設けて、定期的に植物栽培装置１の各センサからの検出データと給水量などの駆動データを送信して、管理センター側で異常な状態を検出して、栽培者へ具体的に指示を送るようにすることもできる。
【００３１】
本考案は上記実施形態以外にも本考案の要旨を変更しない範囲で種々の変形を行うことが可能である。
（１）屋根部と側面部を透光性のあるビニール材等で覆うことで、ビニールハウスのように植物栽培装置を構成することができる。
（２）前記実施形態では植物栽培装置を屋根骨格部５ａ，側面骨格部５ｂを有するような略屋台形に構成したが、屋根部をドーム形状などにすることも可能である。また、植物栽培装置も平面視で四角形状に構成したものを例示したが、円形、楕円形、菱形などの各種形状とすることも可能である。
（３）前記実施形態では植物栽培装置を接続パイプによる骨格部で構成したが、骨格部を板材などで構成することもできる。
（４）ゴミなどの沈殿槽を排水管１０に連通させ、ゴミなどを沈殿させた後の水を図３に示したフィルタ装置３８に送ることもできる。
（５）前記実施形態では付属装置１４を植物栽培装置１とは別体として構成したが、付属装置１４と植物栽培装置１とを一体として構成することもできる。
【図面の簡単な説明】
【００３２】
【図１】本考案に係る植物栽培装置の一例を示す斜視図である。
【図２】図２（Ａ）は植物栽培装置の正面図、図２（Ｂ）はその側面図である。
【図３】本考案に係る付属装置の一例を示すブロック図である。
【図４】本考案に係る植物栽培装置の他の実施形態を示すブロック図である。
【符号の説明】
【００３３】
１…一体型移動式の植物栽培装置
２…土壌収容シート部
３…可撓性シート
４…支持部材
５，５ａ，５ｂ，５ｃ…骨格部
６…桶部（水受け部材）
７…水供給部材
８…移動具
１１…給水ポンプ
１２…戻水ポンプ
１３…戻水路
１４…付属装置
１５…制御装置
１７…屋根部
１８…側面部
２８…植物栽培情報記憶部
３１…ＬＥＤ照明装置（照明装置）
３３…表示装置
３４…表示・教示内容記憶部
【図１】
0003173555.tif 000003
【図２】
0003173555.tif 000004
【図３】
0003173555.tif 000005
【図４】
0003173555.tif 000006